(57)【要約】【課題】  従来の腹話術用人形を大型化して遠隔操作を可能にする。【解決手段】  片方の手で人形本体を保持し片方の手で人形の目玉と唇を作動してなる腹話術用の人形において、前記人形の頭部を固定する支持棒及び該支持棒を保持するマジックバンド付の保持盤とを付設してなる人形頭部と、該人形頭部とを連結するマジックバンド付の保持盤を両端に取付けてなる把持棒と、前記マジックバンド付の人形洋服掛とから構成され、前記人形洋服掛に洋服を人形の胴体と手足にかぶせかつ人形洋服掛の中央開穴部に把持棒を差込みマジックバンドにて締着し、更に前記把持棒の先端軸心穴に人形頭部の支持棒を載置しかつマジックバンドにて締着してなる大型人形とそれを遠隔操作することを特徴とする腹話術用の大型人形とその使用方法の提供。【選択図】  図１
2005052567.tif 000002
【特許請求の範囲】
【請求項１】
片方の手で人形本体を保持し片方の手で人形の目玉と唇を作動してなる腹話術用の人形において、前記人形の頭部を固定する支持棒及び該支持棒を保持するマジックバンド付の保持盤とを付設してなる人形頭部と、該人形頭部とを連結するマジックバンド付の保持盤を両端に取付けてなる把持棒と、前記マジックバンド付の人形洋服掛とから構成され、前記人形洋服掛に洋服を人形の胴体と手足にかぶせかつ人形洋服掛の中央開穴部に把持棒を差込みマジックバンドにて締着し、更に前記把持棒の先端軸心穴に人形頭部の支持棒を載置しかつマジックバンドにて締着してなることを特徴とする腹話術用の大型人形。
【請求項２】
前項の腹話術用大型人形において、人形頭部に固定棒を内設しかつ支持棒に人形頭部に有する目玉と唇を作動するバネ付のワイヤーを内設し、該ワイヤーを指先で作動するトリガー付の操作具に連動してなる請求項１記載の腹話術用の大型人形。
【請求項３】
請求項２記載の腹話術用大型人形において、操作具に取付けられている２個のトリガーを介して人形頭部に有する目玉と唇の動きを自在にする請求項２記載の腹話術用の大型人形。
【請求項４】
請求項１及び２記載の腹話術用大型人形において、前記大型人形を腹話術上演者の膝上に載置若しくは人形置台に載置し、左手で人形頭部に有する支持棒を把持しかつ把持棒の先端軸心穴に揺動状態で回動自在に把持し、一方左手で人形頭部にワイヤーで連結されている操作具を持ち２個のトリガーを指先で操作して人形の目玉と唇を自在に作動操作することを特徴とする腹話術用大型人形の使用方法。
【請求項５】
請求項４記載の腹話術用大型人形の使用方法において、片手の指先で操作具のトリガーを操作しながら、腹話術の会話に合わせて大型人形の目玉と唇の開閉を自在にあやつることを可能にした請求項４記載の腹話術用大型人形の使用方法。
【発明の詳細な説明】
【技術分野】
【０００１】
本発明は腹話術用の人形に関するが、詳しくは大型の人形を遠隔操作によって作動させる腹話術用の大型人形とその使用方法に関するものである。
【背景技術】
【０００２】
従来の腹話術は、ふくちゃんなどの人形をあやつりながら上演者１人で会話するのが一般的であった。これらの腹話術は、専ら交通安全など幼稚園児や小学生を対象に教育の一環として利用されていた。ところが、最近本願の発明者である玉城一石（芸名いっこく堂）が独学により開発された高度の技術を有する大人向の腹話術が普及され日本国内は勿論のこと世界的にも有名になっている。このいっこく堂が使用されている人形は、いっこく堂が独自に開発した人形が多く使用されている。例えば、図５に示すように腹話術用小型人形本体３１を膝の上に置いたり立ちながら右手で支持棒３９を持ち、左手の指先で人形頭部３２に有する人形目玉３３と人形唇３４を作動していた。なお、３５は人形胴部、３６は人形手部、３７は人形洋服、３８は人形足部である。
【０００３】
このような従来方式の小型人形は、小さく狭い会場での上演の場合にはよいが、大きなホールなどの会場では手前の観客は人形の目玉や唇の動きは良く見えるが、後ろの方や２、３階の観客には小さくて良く見えない不便や不都合が生じていた。
【発明の開示】
【発明が解決しようとする課題】
【０００４】
このような従来の小型式腹話術用人形の問題を解決するところに、本発明が解決しようとする課題を有する。すなわち、本発明が解決しようとする課題は、従来の小型人形を大型化し遠隔操作によって人形の目玉や唇を自在に操作することによって遠く観客にも良く見えるようにしたところにある。
【課題を解決するための手段】
【０００５】
本発明は上記の如き課題を解決するために開発したものであって、片方の手で人形本体を保持し片方の手で人形の目玉と唇を作動してなる腹話術用の人形において、前記人形の頭部を固定する支持棒及び該支持棒を保持するマジックバンド付の保持盤とを付設してなる人形頭部と該人形頭部とを連結するマジックバンド付の保持盤を両端に取付けてなる把持棒と前記マジックバンド付の人形洋服掛とから構成され、前記人形洋服掛に洋服を人形の胴体と手足にかぶせかつ人形洋服掛の中央開穴部に把持棒を差込みマジックバンドにて締着し、更に前記把持棒の先端軸心穴に人形頭部の支持棒を載置しかつマジックバンドにて締着してなることを特徴とする腹話術用の大型人形の提供にあり、また前記の腹話術用大型人形において人形頭部に固定棒を内設しかつ支持棒に人形頭部に有する目玉と唇を作動するバネ付のワイヤーを内設し該ワイヤーを指先で作動するトリガー付の操作具に連動してなる腹話術用の大型人形の提供にあり、また前記の腹話術用大型人形において操作具に取付けられている２個のトリガーを介して人形頭部に有する目玉と唇の動きを自在にする腹話術用の大型人形の提供にある。
【０００６】
また本発明は、前記の腹話術用大型人形について前記大型人形を腹話術上演者の膝上に載置若しくは人形置台に載置し左手で人形頭部に有する支持棒を把持しかつ把持棒の先端軸心穴に揺動状態で回動自在に把持し、一方左手で人形頭部にワイヤーで連結されている操作具を持ち２個のトリガーを指先で操作して人形の目玉と唇を自在に作動操作することを特徴とする腹話術用大型人形の使用方法の提供にあり、また前記の腹話術用大型人形の使用方法において片手の指先で操作具のトリガーを操作しながら腹話術の会話に合わせて大型人形の目玉と唇の開閉を自在にあやつることを可能にした腹話術用大型人形の使用方法の提供にある。
【発明の効果】
【０００７】
本発明は、片方の手で人形本体を保持し片方の手で人形の目玉と唇を作動してなる腹話術用の人形において、前記人形の頭部を固定する支持棒及び該支持棒を保持するマジックバンド付の保持盤とを付設してなる人形頭部と該人形頭部とを連結するマジックバンド付の保持盤を両端に取付けてなる把持棒と前記ジックバンド付の人形洋服掛とから構成され、前記人形洋服掛に洋服を人形の胴体と手足にかぶせかつ人形洋服掛の中央開穴部に把持棒を差込みマジックバンドにて締着し、更に前記把持棒の先端軸心穴に人形頭部の支持棒を載置しかつマジックバンドにて締着してなることを特徴とする腹話術用の大型人形であり、また前記の腹話術用大型人形において人形頭部に固定棒を内設しかつ支持棒に人形頭部に有する目玉と唇を作動するバネ付のワイヤーを内設し該ワイヤーを指先で作動するトリガー付の操作具に連動してなる腹話術用の大型人形であり、また前記の腹話術用大型人形において操作具に取付けられている２個のトリガーを介して人形頭部に有する目玉と唇の動きを自在にする腹話術用の大型人形であるから、従来の小型人形では得られない人形を提供することができしかも操作が簡便である。
【０００８】
本発明は、腹話術用大型人形において前記大型人形を腹話術上演者の膝上に載置若しくは人形置台に載置し左手で人形頭部に有する支持棒を把持しかつ把持棒の先端軸心穴に揺動状態で回動自在に把持し、一方左手で人形頭部にワイヤーで連結されている操作具を持ち２個のトリガーを指先で操作して人形の目玉と唇を自在に作動操作することを特徴とする腹話術用大型人形の使用方法であり、更に前記の腹話術用大型人形の使用方法において片手の指先で操作具のトリガーを操作しながら腹話術の会話に合わせて大型人形の目玉と唇の開閉を自在にあやつることを可能にした腹話術用大型人形の使用方法であるから、大ホールや広い会場であっても遠くから人形の目玉や唇の動きがはっきり見ることができる。
【発明を実施するための最良の形態】
【０００９】
本発明の実施形態は、片方の手で人形本体を保持し片方の手で人形の目玉と唇を作動してなる腹話術用の人形において、前記人形の頭部を固定する支持棒及び該支持棒を保持するマジックバンド付の保持盤とを付設してなる人形頭部と該人形頭部とを連結するマジックバンド付の保持盤を両端に取付けてなる把持棒と前記マジックバンド付の人形洋服掛とから構成され、前記人形洋服掛に洋服を人形の胴体と手足にかぶせかつ洋服掛の中央開穴部に把持棒を差込みマジックバンドにて締着し、更に前記把持棒の先端軸心穴に人形頭部の支持棒を載置しかつマジックバンドにて締着してなることを特徴とする腹話術用の大型人形であり、また前記の腹話術用大型人形において人形頭部に固定棒を内設しかつ支持棒に人形頭部に有する目玉と唇を作動するバネ付のワイヤーを内設し該ワイヤーを指先で作動するトリガー付の操作具に連動してなる腹話術用の大型人形であり、また前記の腹話術用大型人形において操作具に取付けられている２個のトリガーを介して人形頭部に有する目玉と唇の動きを自在にする腹話術用の大型人形であるから、実物の子供と同じ位の体形な人形による腹話術を観客に上演することができる。
【００１０】
また本発明の実施形態は、腹話術用大型人形において前記大型人形を腹話術上演者の膝上に載置若しくは人形置台に載置し左手で人形頭部に有する支持棒を把持しかつ把持棒の先端軸心穴に揺動状態で回動自在に把持し、一方左手で人形頭部にワイヤーで連結されている操作具を持ち２個のトリガーを指先で操作して人形の目玉と唇を自在に作動操作することを特徴とする腹話術用大型人形の使用方法であり、また前記の腹話術用大型人形の使用方法において片手の指先で操作具のトリガーを操作しながら腹話術の会話に合わせて大型人形の目玉と唇の開閉を自在にあやつることを可能にした腹話術用大型人形の使用方法であるから、大型化した人形であっても遠隔操作で自在に人形をあやつることが可能である。
【実施例１】
【００１１】
以下、図面によって本発明の実施例について説明する。
【００１２】
図１乃至図４は、本発明からなる腹話術用の大型人形とその使用方法を示したものであり、１はその腹話術用大型人形本体である。この大型人形本体１は、人形頭部２と人形胴部３との分離組立方式で構成されている。人形頭部２は、人形目玉６と人形唇７とを作動可能にし、この人形頭部２には人形頭部２を保持する支持棒８と、更にこの支持棒８を保持する保持盤１０と、更にこの保持盤１０を締着するマジックバンド９とが付設されている。一方、人形胴部３には前記支持棒８を支持する軸心穴１４を有する保持盤１２と１５を連結してなる把持棒１１とを設け、この把持棒１１を人形胴部３の人形洋服掛１８の中央に有する中央開穴部１９に差込み、それぞれ上下に有するマジックバンド１６、１７を介して締着されている。なお、図中４は人形足部、５は人形手部である。
【００１３】
また、前記腹話術用大型人形本体１の人形頭部２に有する人形目玉６と人形唇７を作動する操作具２１について説明すれば、まず図３と図４に示すように操作具２１の把手部分にはワイヤー２０が作動する２個のトリガー２４、２４が取付けられており、この各トリガー２４、２４の取付けられているワイヤー２０は、人形頭部２に内設されている支持枠８とバネ２３とを介して人形目玉６と人形唇７に連結されている。すなわち、操作具２１のトリガー２４、２４を指先で操作すれば、人形目玉６と人形唇７とが作動するように構成されている。なお図中２２は人形頭部２と支持枠８の安定するための固定棒である。
【００１４】
次に、上記の如く構成されている本発明からなる腹話術用大型人形の使用方法について説明する。まず、本発明の腹話術用大型人形本体１を図１のように上演者の膝上に置くか若しくは立った状態でもって、左手Ｂで人形頭部２に有する支持枠８を握り締めて人形頭部２を人形胴部３に内設されている把持棒１１の先端軸心穴１４に揺動かつ回転自在になるようにセットする。ついで、右手Ａに操作具２１を持って２個のトリガー２４、２４に指先を引っかけて人形目玉６と人形唇７の作動操作をする。このような状態にして、腹話術の上演者が右手に持っている操作具２１を自在に操作しながら人形との会話などを発声して人形目玉６と人形唇７との動きを操作して腹話術を行う。このように大型人形を遠隔操作することで、人形の目や唇の動きが遠くの観客からも良く見ることができる。
【図面の簡単な説明】
【００１５】
【図１】本発明からなる腹話術用大型人形を示した概要図。
【図２】図１に示した大型人形の分解組立図。
【図３】本発明の要部である人形頭部内を示した概要図。
【図４】本発明に要部である遠隔操作用の操作具を示した概要図。
【図５】従来の腹話術用小型人形を示した概要図。
【符号の説明】
【００１６】
１  腹話術用大型人形本体      ２  人形頭部
３  人形胴部                  ４  人形足部
５  人形手部                  ６  人形目玉
７  人形唇                    ８、１８  人形洋服掛
９、１６、１７  マジックバンド    １０、１５  保持盤
１１  把持棒                  １２  支持棒
１４  軸心穴                  １９  中央開穴部
２０  ワイヤー                ２１  操作具
２２  固定枠                  ２３  バネ
２４  トリガー                ３１  腹話術用小型人形本体
３２  人形頭部                ３３  人形目玉
３４  人形唇                  ３５  人形胴部
３６  人形手部                ３７  人形洋服
３８  人形足部                ３９  支持棒
Ａ  右手                      Ｂ  左手                                          Ｃ  指                        Ｄ  膝
Ｅ  人形置台
【図１】
2005052567.tif 000003
【図２】
2005052567.tif 000004
【図３】
2005052567.tif 000005
【図４】
2005052567.tif 000006
【図５】
2005052567.tif 000007